(57)【要約】【課題】  インラインカラーレーザプリンタにおいて、レーザ光量基準電圧を細かく可変できる構成にすることで、各色のレーザ光量を各々細かく素早く制御でき、良好な画像を得る装置を提供する。【解決手段】  光源毎に設けられ、光源の流れる電流を制御する為の基準電圧を変えることによって、任意の光量で点灯させることが出来る光源駆動手段と、光源毎に設けられた光源駆動手段への前記光源毎の光量を制御する為の光量制御信号を出力する制御部と、光源毎の光量を決定する制御部とを備え、光量制御信号を出力する制御部は、光源毎の光量を決定する制御部からのディジタル信号をアナログ信号に変換させ光源毎の光源駆動手段へ出力する構成。【選択図】        図１
2006027169.tif 000002
【特許請求の範囲】
【請求項１】
複数の投射されたレーザビームが光学レンズを通って、そのレーザビームの走査によりお互いに異なる色毎に設けられた複数の感光体に各々露光し各々画像を形成する電子写真装置に、前記光源毎に設けられ、光源の光量を変える為の基準電圧を変えられる事が出来る電子写真装置において、
前記光源毎に設けられ、光源の流れる電流を制御する為の基準電圧を変えることによって、任意の光量で点灯させることが出来る光源駆動手段と、
前記光源毎に設けられた光源駆動手段への前記光源毎の光量を制御する為の光量制御信号を出力する制御部と、
前記光源毎の光量を決定する制御部とを備え、
前記光量制御信号を出力する制御部は、前記光源毎の光量を決定する制御部からのディジタル信号をアナログ信号に変換させ光源毎の光源駆動手段へ出力すること、
を特徴とする画像形成装置。
【請求項２】
請求項１の画像形成装置において、
前記光量制御信号を出力する制御部から前記光源駆動手段への送出は、少なくとも１つ以上であること、
を特徴とする画像形成装置。
【請求項３】
請求項１の画像形成装置において、
前記光量制御信号を出力する制御部から前記光源駆動手段への送出は、各光源ともに同じ値を出力できる構成、
を備えたことを特徴とする画像形成装置。
【請求項４】
請求項１の画像形成装置において、
前記光量制御信号を出力する制御部から前記光源駆動手段への送出は、各光源ともに違う値を出力できる構成、
を備えたことを特徴とする画像形成装置。
【請求項５】
複数の投射されたレーザビームが光学レンズを通って、そのレーザビームの走査によりお互いに異なる色毎に設けられた複数の感光体に各々露光し各々画像を形成する電子写真装置に、前記光源毎に設けられ、光源の光量を変える為の基準電圧を変えられる事が出来る電子写真装置において、
前記光源毎に設けられ、光源の流れる電流を制御する為の基準電圧を変えることによって、任意の光量で点灯させることが出来る光源駆動手段と、
前記光源毎に設けられた光源駆動手段への前記光源毎の光量を制御する為の光量制御信号を出力する制御部と、
前記光源毎の光量を決定する制御部とを備え、
前記光量制御信号を出力する制御部は、前記光源毎の光量を決定する制御部からの光源毎の信号により、予め決めていた前記光源駆動手段への信号を選択することができる構成、
を備えたことを特徴とする画像形成装置。
【請求項６】
請求項５の画像形成装置において、
前記光量制御信号を出力する制御部から前記光源駆動手段への送出は、少なくとも１つ以上である構成、
を備えたことを特徴とする画像形成装置。
【請求項７】
請求項５の画像形成装置において、
前記光量制御信号を出力する制御部から前記光源駆動手段への送出は、各光源ともに同じ値を出力できる構成、
を備えたことを特徴とする画像形成装置。
【請求項８】
請求項５の画像形成装置において、
前記光量制御信号を出力する制御部から前記光源駆動手段への送出は、各光源ともに違う値を出力できる構成、
を備えたことを特徴とする画像形成装置。
【発明の詳細な説明】
【技術分野】
【０００１】
本発明は画像形成装置に関し、特に、レーザビームを走査およびＬＥＤを走査して、画像を形成する電子写真装置に関するものである。
【背景技術】
【０００２】
従来、電子写真方式を用いた画像形成装置においては、画像信号によって変調されたレーザビームが回転する多面鏡（以後ポリゴンミラー）を有するスキャナによって反射され、感光体上を走査することによって画像形成を行っている。感光体はドラム状のものが多用され、感光ドラムと呼ばれている。この方式をカラーレーザプリンタに応用する場合、色の異なる（例えばイエロー（Ｙ）、マゼンダ（Ｍ）、シアン（Ｃ）、ブラック（ＢＫ）の４色）複数の画像を重ね合わせてカラー画像をシート状媒体上に形成している。この重ねあわせ技術を達成するための手法には次のようなものがある。
【０００３】
１つの手法として、図１０のような画像形成装置１００２がある。第１の色画像信号を感光ドラム１００１上に走査して潜像を作り、可視化する為に現像剤を付着させ、これを記録紙に転写し、その後に感光ドラム１００１をクリーニングする工程を行う。次に第２の色画像信号を同一の感光ドラム１００１に走査し潜像を作り、可視化する為に現像剤を付着させ、これを記録紙に転写し、その後に感光ドラム１００１をクリーニングする工程を行う。但し、現像剤は第２の色のものを使用する。第３の色画像信号、第４の色画像信号に対しても同じ工程を繰り返す。このようにして同一の記録紙に複数回現像した画像を重ねあわせることによって１つの画像記録を行うものである。
【０００４】
また、別の手法においては、複数の画像信号に対して同数の感光ドラムを具備し、それぞれの色画像信号に対して１対１に対応する感光ドラムに潜像を作り、それぞれ異なる色の現像剤でもって可視化現像を行い、そして記録紙に順次転写する。この場合、１つの画像信号に対して１つのレーザ、１つのスキャナ、レーザの画像書き出しタイミングを検知するための１つのＢＤ（Ｂｅａｍ  Ｄｅｔｅｃｔ）センサ、１つの感光ドラムを用意するのが一般的であり、従って重ねあわせるべき画像信号が複数ある場合は画像信号と同数のレーザと同数のスキャナと同数の感光ドラムが必要である。この構成に関しては、実施形態１、実施形態２で詳しく説明する。
【０００５】
前述の第１の手法は帯電−露光−現像−転写−クリーニングの一連の電子写真プロセスを第１の色画像信号に対して行い、次に第２の色画像信号に対して再び同じプロセスを行い、第３の色画像信号に対しても、第４の色画像信号に対してもそれぞれ時系列的に行わなければならない。従って１枚のプリント時間が非常に長いという問題を持っている。
【０００６】
これに対し前述の第２の手法は第１の手法に対して短時間でプリントできるというメリットがある。しかし、前述の如く、レーザ、スキャナ、感光ドラムをそれぞれの色画像信号の数と同数を用意しなければならず、装置が大型化し、高価になる問題を持っている。
【０００７】
どちらの手法においても、レーザは各色毎に設けられており、各色のレーザは、図８に示すようなレーザ駆動回路によって所定の出力光量で点灯させられるようになっていた。なお、各色のレーザ駆動回路８０１Ｋ、８０１Ｃ、８０１Ｍ、８０１Ｙは同様の構成であるため、図８ではＫ色のレーザ駆動回路８０１Ｋについてのみ詳細構成を示し、他の色については省略している。以下の説明では特に色を区別しない限り、符号末尾に付与した色を示す記号（Ｋ／Ｃ／Ｍ／Ｙ）を省略する。また、各色毎の信号については、当該信号を示す符号の末尾に「−」と共に当該色を示す記号（Ｋ／Ｃ／Ｍ／Ｙ）を付与し、以下の説明では特に色を区別しない限り、符号末尾に付与した「−」と記号を省略する。
【０００８】
各レーザ駆動回路８０１は、ＬＤ８０２を駆動させる電流源として、バイアス電流源８０３とスイッチング（ＳＷ）電流源８０４とを備えており、このバイアス電流源８０３及びスイッチング電流源８０４から出力された電流は加算器８０５によって加算されて、ＬＤ８０２に供給される。ＬＤ８０２は、この両者の電流が加算された電流が供給されることにより点灯し、且つ供給された電流の大きさに応じた光量の光ビームを出力する。
【０００９】
このとき、バイアス電流源８０３とスイッチング電流源８０４とは、レーザ点灯許可信号ｎＥＮＢによって駆動が許可され、バイアス電流源８０３は、各ＬＤ８０２が光を出力する所定のしきい値以下の電流を出力し、スイッチング電流源８０４が、各色毎の画像信号ｎＶＤＡＴＡに基づいて、所定電流値のスイッチング電流出力をＯＮ／ＯＦＦすることで、各ＬＤ８０２の点灯／消灯を行う。
【００１０】
ＬＤ８０２からの出力された光ビームの一部は、モニタ光としてＰＤ（Ｐｈｏｔｏ  Ｄｉｏｄｅ）８０６で受光され、出力光量に比例した電流が出力される。この電流は、電流電圧変換器８０７によって電圧変換されてモニタ電圧とされ、比較器８０８において光量設定基準電圧Ｖｒｅｆと比較される。サンプルホールド（Ｓ／Ｈ）回路８０９では、光量調整信号ｎＳ／Ｈによってサンプルが指示されているときは、ＬＤ８０２を点灯させて比較器８０８での比較結果に基づいて、スイッチング電流源８０４の出力電流値を調整してＬＤ８０２から所定光量の光ビームが出力されるように光量調整を行い、ホールドが指示されているときはその調整結果を保持する。
【００１１】
このとき、各色のＬＤ８０２の出力光量を制御するための各種制御信号（レーザ点灯許可信号ｎＥＮＢ、光量調整信号ｎＳ／Ｈ）は、画像形成装置の動作を司る制御部（ＭＣＵ：Ｍａｉｎ  Ｃｏｎｔｒｏｌ  Ｕｎｉｔ）９０１（図９参照）から、各レーザ駆動回路８０１に入力される。各レーザ駆動回路８０１は入力された制御信号に基づいて、それぞれＬＤ８０２の光量制御を行う。
【特許文献１】特開２００３−３０５８８２号公報
【発明の開示】
【発明が解決しようとする課題】
【００１２】
しかしながら、上記の従来例では、レーザ光量設定を行うレーザ光量設定基準電圧Ｖｒｅｆは固定した電圧を供給しているので、レーザ光量基準電圧Ｖｒｅｆを任意に変更できない。また、色毎にレーザ光量基準電圧Ｖｒｅｆを変更できない。また、色毎にレーザ光量基準電圧Ｖｒｅｆを各々細かく素早く変更できない。従って、色ごとにレーザ光量が設定できないので、色の表現力が乏しくなってしまっていた。
【００１３】
そこで、本発明の目的は、上述の点に鑑みて、シリアルＤ／Ａ変換ＩＣやトランジスタを使用し、レーザ光量基準電圧を細かく可変できる構成にすることで、各色のレーザ光量を各々細かく素早く制御でき、良好な画像を得ることのできる画像形成装置を提供するものである。
【課題を解決するための手段】
【００１４】
このような目的を達成するために、
第１の発明は、複数の投射されたレーザビームが光学レンズを通って、そのレーザビームの走査によりお互いに異なる色毎に設けられた複数の感光体に各々露光し各々画像を形成する電子写真装置に、前記光源毎に設けられ、光源の光量を変える為の基準電圧を変えられる事が出来る電子写真装置において、
前記光源毎に設けられ、光源の流れる電流を制御する為の基準電圧を変えることによって、任意の光量で点灯させることが出来る光源駆動手段と、
前記光源毎に設けられた光源駆動手段への前記光源毎の光量を制御する為の光量制御信号を出力する制御部と、
前記光源毎の光量を決定する制御部とを備え、
前記光量制御信号を出力する制御部は、前記光源毎の光量を決定する制御部からのディジタル信号をアナログ信号に変換させ光源毎の光源駆動手段へ出力すること、
を特徴とする。
【００１５】
第２の発明は、第１の発明の画像形成装置において、
前記光量制御信号を出力する制御部から前記光源駆動手段への送出は、少なくとも１つ以上であること、
を特徴とする。
【００１６】
第３の発明は、第１の発明の画像形成装置において、
前記光量制御信号を出力する制御部から前記光源駆動手段への送出は、各光源ともに同じ値を出力できる構成、
を備えたことを特徴とする。
【００１７】
第４の発明は、第１の発明の画像形成装置において、
前記光量制御信号を出力する制御部から前記光源駆動手段への送出は、各光源ともに違う値を出力できる構成、
を備えたことを特徴とする。
【００１８】
第５の発明は、複数の投射されたレーザビームが光学レンズを通って、そのレーザビームの走査によりお互いに異なる色毎に設けられた複数の感光体に各々露光し各々画像を形成する電子写真装置に、前記光源毎に設けられ、光源の光量を変える為の基準電圧を変えられる事が出来る電子写真装置において、
前記光源毎に設けられ、光源の流れる電流を制御する為の基準電圧を変えることによって、任意の光量で点灯させることが出来る光源駆動手段と、
前記光源毎に設けられた光源駆動手段への前記光源毎の光量を制御する為の光量制御信号を出力する制御部と、
前記光源毎の光量を決定する制御部とを備え、
前記光量制御信号を出力する制御部は、前記光源毎の光量を決定する制御部からの光源毎の信号により、予め決めていた前記光源駆動手段への信号を選択することができる構成、
を備えたことを特徴とする。
【００１９】
第６の発明は、第５の発明の画像形成装置において、
前記光量制御信号を出力する制御部から前記光源駆動手段への送出は、少なくとも１つ以上である構成、
を備えたことを特徴とする画像形成装置。
【００２０】
第７の発明は、第５の発明の画像形成装置において、
前記光量制御信号を出力する制御部から前記光源駆動手段への送出は、各光源ともに同じ値を出力できる構成、
を備えたことを特徴とする画像形成装置。
【００２１】
第８の発明は、第５の発明の画像形成装置において、
前記光量制御信号を出力する制御部から前記光源駆動手段への送出は、各光源ともに違う値を出力できる構成、
を備えたことを特徴とする画像形成装置。
【発明の効果】
【００２２】
本発明によれば、シリアルＤ／ＡコンバータＩＣを使用することで、レーザ光量基準電圧を細かく可変できるので、各色のレーザ光量を各々細かく素早く制御でき、色の表現力が豊かになり、良好な画像を得る装置を提供できる。また、レーザ光量基準電圧を決定する信号数を１つにすることで、信号線を削減でき、コストダウンできる。
【００２３】
また、光量基準電圧を選択手段をトランジスタの使用構成にすることで、レーザ光量基準電圧を細かく可変できるので、各色のレーザ光量を各々細かく素早く制御でき、良好な画像を得る装置を提供できる。また、コストダウンも可能である。
【発明を実施するための最良の形態】
【００２４】
以下に本発明を実施するための最良の形態を、実施例に基づいて説明する。
【実施例１】
【００２５】
図１は、実施例１である“レーザプリンタ”の構成を示すブロック図である。図１において、１０１はレーザプリンタ、１０２はホストコンピュータである。本実施例では４ドラム方式のカラーレーザプリンタの例である。本カラーレーザプリンタは４色（イエローＹ、マゼンダＭ、シアンＣ、ブラックＢＫ）の画像を重ねあわせたカラー画像を形成するために４色の画像形成部を備えている。
【００２６】
画像形成部は、像担持体としての感光ドラムを有するトナーカートリッジ１０９、１１０、１１１、１１２と、画像露光用光源としてのレーザビームを発生させるレーザダイオード（請求項のレーザビーム発生素子に対応）を有するスキャナユニット１０５、１０６、１０７、１０８とからなる。
【００２７】
ホストコンピュータ１０２からの画像データを受け取ると、レーザプリンタ１０１内のビデオコントローラ１０３で前記画像データをビットマップデータに展開し、画像形成用のビデオ信号を生成する。ビデオコントローラ１０３とエンジンコントローラ１０４はシリアル通信を行い、情報の送受信を行っている。ビデオ信号はエンジンコントローラ１０４に送信され、エンジンコントローラ１０４は前記ビデオ信号に応じてスキャナユニット１０５，１０６，１０７，１０８内のレーザダイオードを駆動し、トナーカートリッジ１０９〜１１２内の感光ドラム上にそれぞれ画像を形成する。前記感光ドラムは、中間転写ベルト１１３に接しており、各色の感光ドラム上に形成された画像が中間転写ベルト１１３上に転写され順次重ね合わされていくことにより、カラー画像が形成される。画像形成のプロセスについては後ほど詳しく述べる。
【００２８】
図２は本レーザプリンタの構造を示す断面図である。図１と同一のものには同一の符号を付してある。なお、図１で説明したビデオコントローラ１０３及びエンジンコントローラ１０４は図示していない。
【００２９】
図２において、２０１〜２０４は感光ドラムであり、それぞれ２０１はイエロー、２０２はマゼンタ、２０３はシアン、２０４はブラックの画像の形成に利用される。
【００３０】
図３は図２におけるスキャナユニット１０５、１０６、１０７、１０８の詳細を示した図である。
【００３１】
便宜上、スキャナユニット１０５の構成について説明する。１０６、１０７、１０８についても同様であるので説明は省略する。
【００３２】
図３において、３０１はレーザダイオードであり、図示しないエンジンコントローラ１０４からの制御信号によって駆動制御される。３０３はポリゴンミラーであり、スキャナモータ３０７で図中の矢印の方向に一定速度で回転し、レーザダイオード３０１からのビームを反射しながら走査する。本実施例ではレーザダイオード３０１からのビームは図の右側からポリゴンミラー３０３に照射される。
【００３３】
３０６は、レーザダイオード３０１の走査路上にあって、レーザビームが入射されると信号を発生する光センサであり、ＢＤ（ＢｅａｍＤｅｔｅｃｔ）センサと呼ぶ。
【００３４】
レーザダイオード３０１から発せられたレーザビームはレンズ３０２を通過し、ポリゴンミラー３０３により反射されながら走査され、折り返しミラー３０４でさらに反射され、感光ドラム２０１上を左から右方向に走査する。
【００３５】
なお、実際にはレーザビームは感光ドラム上に焦点をあわせるため、あるいはレーザビームを拡散光から平行光に変換するための各種レンズを経由する。これについては説明を省く。
【００３６】
レーザダイオード３０１は、図示しないビデオコントローラで生成されたビデオ信号によって変調されたレーザビームを発生し、感光ドラム２０１上を走査していく。一方感光ドラム２０１はドラムモータ３０８によって一定速度で、図３で示す矢印の方向に回転する。感光ドラム２０１は図２の帯電ローラ２０５によって表面を一様に帯電されており、この表面をビデオコントローラで作成されたビデオ信号で変調されたレーザビームが走査することで、目には見えない静電潜像が形成される。静電潜像は図２の現像器２０９によってトナー像として可視化される。
【００３７】
通常、ビデオコントローラはＢＤセンサ３０６の出力信号を検知してから所定時間後に、ビデオ信号をエンジンコントローラに対して送信する。そうすることにより、感光ドラム２０１上のレーザビームによる画像の書き出し位置が常に一致するのである。
【００３８】
このようにして、レーザダイオードＬＤによるイエロー（Ｙ）の色画像が感光ドラム２０１上に形成される。
【００３９】
以上、スキャナユニット１０６、１０７、１０８についても、図２におけるスキャナユニット１０５の説明と全く同様である。すなわち、感光ドラム２０２上にマゼンタ（Ｍ）、感光ドラム２０３上にシアン（Ｃ）、感光ドラム２０４上にブラック（ＢＫ）の色画像がそれぞれ形成される。
【００４０】
各色画像は、一定速度で搬送される中間転写ベルト１１３上に順次、重ね合うように転写（一次転写）される。つまり、まず最初にイエロー（Ｙ）の画像が中間転写ベルト１１３に転写され、その上に、マゼンダ（Ｍ）、シアン（Ｃ）、ブラック（ＢＫ）の順に転写され、カラー画像が形成される。
【００４１】
中間転写ベルト１１３上に形成されたカラー画像は、中間転写ベルト１１３によって搬送されていく。一方、カセット２２２内のシートはピックアップローラ２１６によって、転写ローラ２１８の位置でちょうど中間転写ベルト１１３上の画像とタイミングが合うようにピックアップされる。そしてカラー画像は転写ローラ２１８に加圧され中間転写ベルトＩＴＢからシートの方に転写される。（２次転写）画像が転写されたシートは定着器２１３で、熱と圧力によって、画像が定着された後、プリンタの上部、排紙トレイ２１７に排出される。
【００４２】
以上が、画像形成の一連のプロセスである。
【００４３】
次に、本実施例の特徴であるレーザ光量制御について図４を用いて説明する。図４に示すレーザ光量制御部は、エンジンコントローラ１０４内に構成されている。そのレーザ光量制御部は、画像形成装置の動作を司る制御部（ＭＣＵ：Ｍａｉｎ  Ｃｏｎｔｒｏｌ  Ｕｎｉｔ）４０１と、そのＭＣＵ４０１からのディジタル信号をアナログ信号に変換するシリアルＤ／ＡコンバータＩＣ部４０２と、レーザ駆動回路４０３Ｋ、４０３Ｃ、４０３Ｍ、４０３Ｙとから構成されている。各色のＬＤ４０４Ｋ、ＬＤ４０４Ｃ、ＬＤ４０４Ｍ、ＬＤ４０４Ｙは、それぞれレーザ駆動回路４０３Ｋ、４０３Ｃ、４０３Ｍ、４０３Ｙで駆動される。駆動方法は、全ての色で同様であるので、ここではＬＤ４０４Ｋのレーザ光量制御についてのみ説明する。
【００４４】
レーザ駆動回路４０３Ｋに必要なレーザ光量のディジタルデータをシリアルＤ／ＡコンバータＩＣ部４０２に送り、そのディジタルデータをアナログ値のレーザ光量基準電圧Ｖｒｅｆ−Ｋに変換する。そして、そのレーザ光量基準電圧Ｖｒｅｆ−Ｋはレーザ駆動回路４０３Ｋに送られる。そして、そのレーザ光量基準電圧Ｖｒｅｆ−Ｋに応じて、ＬＤ４０４Ｋの光量が変化する。また、そのＬＤ４０４Ｋの出力光量を制御するためのレーザ点灯許可信号ｎＥＮＢ−Ｋ、光量調整信号ｎＳ／Ｈ−Ｋは、ＭＣＵ４０１から、各レーザ駆動回路４０３に入力され、これらのレーザ点灯許可信号ｎＥＮＢ−Ｋ、光量調整信号ｎＳ／Ｈ−Ｋも同様に、レーザ駆動回路４０３Ｋはそれらの入力された制御信号に基づいて、ＬＤ４０４Ｋの光量制御を行う。
【００４５】
シリアルＤ／ＡコンバータＩＣ部４０２は、クロック４０５に同期して送られてきたシリアルディジタルデータ４０６によって、シリアルＤ／ＡコンバータＩＣ部４０２の出力電圧を可変できる。その出力電圧は、シリアルＤ／ＡコンバータＩＣ部４０２の電源Ｖｃｃ４０７から電圧を落として生成される。
【００４６】
また、ビデオコントローラ１０３から光量に関する情報が送られてきて、その情報に基づいて、ＭＣＵ４０１は制御する。
【００４７】
図５に、ＭＣＵ４０１の制御フローチャートを示す。まず、ビデオコントローラ１０３からレーザ光量の情報をもらう（Ｓ５０１）。次に、その情報から各々のレーザ光量設定基準電圧Ｖｒｅｆを演算し、シリアルＤ／ＡコンバータＩＣ部４０２へレーザ光量設定基準電圧ＤＡＴＡを送る。
【００４８】
また、図６のように、レーザ光量基準電圧Ｖｒｅｆに各色同様な電圧を入力することも可能である。
【実施例２】
【００４９】
本実施例２の特徴であるレーザ光量制御について図７を用いて説明する。レーザ光量制御部は、画像形成装置の動作を司る制御部（ＭＣＵ：Ｍａｉｎ  Ｃｏｎｔｒｏｌ  Ｕｎｉｔ）７０１と、そのＭＣＵ７０１からのレーザ光量制御信号Ｖｍｏｄｅ０（７０２）、Ｖｍｏｄｅ１（７０３）、Ｖｍｏｄｅ２（７０４）、Ｖｍｏｄｅ３（７０５）によってオンオフされるｎｐｎ型トランジスタ７０６、７０７、７０８、７０９と、レーザ駆動回路７１０Ｙ、７１０Ｍ、７１０Ｃ、７１０Ｋとから構成されている。トランジスタはｐｎｐ型でも良い。
【００５０】
トランジスタ７０６、７０７、７０８、７０９のコレクタは、レーザ光量基準電圧につながっており、それは各々、Ｖｒｅｆ０、Ｖｒｅｆ１、Ｖｒｅｆ２、Ｖｒｅｆ３の電圧が入力されている。レーザ光量制御信号Ｖｍｏｄｅ０（７０２）、Ｖｍｏｄｅ１（７０３）、Ｖｍｏｄｅ２（７０４）、Ｖｍｏｄｅ３（７０５）を使用し、必要なレーザ光量基準電圧Ｖｒｅｆ０、Ｖｒｅｆ１、Ｖｒｅｆ２、Ｖｒｅｆ３を選択する。そして、その選択されたレーザ基準電圧Ｖｒｅｆが各レーザ駆動回路７１０に送られる。このレーザ光量基準電圧Ｖｒｅｆに応じて、ＬＤ７１１の光量が変化する。また、各色のＬＤ７１１の出力光量を制御するためのレーザ点灯許可信号ｎＥＮＢ、光量調整信号ｎＳ／Ｈは、ＭＣＵ７０１から、各レーザ駆動回路７１０に入力され、これらのレーザ点灯許可信号ｎＥＮＢ、光量調整信号ｎＳ／Ｈも同様に、各レーザ駆動回路７１０はそれらの入力された制御信号に基づいて、それぞれＬＤ７１１の光量制御を行う。例えば、レーザ光量基準電圧Ｖｒｅｆ０は、３．３Ｖ、レーザ光量基準電圧Ｖｒｅｆ１は、２．５Ｖ、レーザ光量基準電圧Ｖｒｅｆ２は、２．０Ｖ、レーザ光量基準電圧Ｖｒｅｆ３は、３．０Ｖのようにする。
【００５１】
ＭＣＵ７０１の制御方法は、実施形態１と同様であるので、説明を省く。
【図面の簡単な説明】
【００５２】
【図１】本発明の実施形態１による画像形成装置のブロックである。
【図２】本発明の実施形態１による画像形成装置の断面図である。
【図３】スキャナ光学の斜視図である。
【図４】本発明による実施形態１のレーザ光量制御回路のブロック図である。
【図５】本発明による実施形態１のレーザ光量制御のフローチャートである。
【図６】本発明による実施形態１のレーザ光量制御回路のブロック図である。
【図７】本発明による実施形態２のレーザ光量制御回路のブロック図である。
【図８】従来のレーザ光量制御回路のブロック図である。
【図９】従来のレーザ光量制御回路のブロック図である。
【図１０】従来の画像形成装置のブロック図である。
【符号の説明】
【００５３】
１０１  レーザプリンタ
１０２  ホストコンピュータ
１０３  ビデオコントローラ
１０４  エンジンコントローラ
１０５，１０６，１０７，１０８  スキャナユニット
１０９，１１０，１１１，１１２  トナーカートリッジ
１１３  中間転写ベルト
２０１，２０２，２０３，２０４  感光ドラム
２０５，２０６，２０７，２０８  帯電ローラ
２０９，２１０，２１１，２１２  現像器
２１３  定着器
２１６  ピックアップローラ
２１７  排紙トレイ
２１８  転写ローラ
２２２カセット
３０１  レーザダイオード
３０２  レンズ
３０３  ポリゴンミラー
３０４  折り返しミラー
３０６  光センサ（ＢＤセンサ）
３０７  スキャナモータ
３０８  ドラムモータ
４０１  制御部（ＭＣＵ）
４０２  シリアルＤ／ＡコンバータＩＣ部
４０３Ｋ，４０３Ｃ，４０３Ｍ，４０３Ｙ  レーザ駆動回路
４０４Ｋ，４０４Ｃ，４０４Ｍ，４０４Ｙ  ＬＤ
４０５  クロック
４０６  シリアルディジタルデータ
７０２，７０３，７０４，７０５  レーザ光量制御信号
７０６，７０７，７０８，７０９  トランジスタ
７１０Ｋ，７１０Ｃ，７１０Ｍ，７１０Ｙ  レーザ駆動回路
７１１Ｋ，７１１Ｃ，７１１Ｍ，７１１Ｙ  ＬＤ
【図１】
2006027169.tif 000003
【図２】
2006027169.tif 000004
【図３】
2006027169.tif 000005
【図４】
2006027169.tif 000006
【図５】
2006027169.tif 000007
【図６】
2006027169.tif 000008
【図７】
2006027169.tif 000009
【図８】
2006027169.tif 000010
【図９】
2006027169.tif 000011
【図１０】
2006027169.tif 000012